(57)【要約】【課題】小型で、外観的に見栄えの良い衛星放送受信用コンバータの取付構造を提供する。【解決手段】本発明の衛星放送受信用コンバータの取付構造において、直線状の導波管部８が回路基板２と平行に配置され、導波管部８の外周が接地用パターン５に接触した状態で取り付けられたフィードホーン７を有する２個の第１，第２のコンバータＣ１とを備え、第１，第２のコンバータＣ１は、それぞれの導波管部８をパラボラアンテナ１８に向けて並設した状態で、取付部材１９によって取り付けられたため、２個のコンバータの横方向の寸法が従来に比して小さく、小型となり、外観的に見栄えの良いものが得られる。【選択図】　　　　図８
2004040404.tif 000002
【特許請求の範囲】
【請求項１】
一面側に設けられた配線パターンに電気部品を搭載して、所望の回路が形成された回路基板と、この回路基板の他面側に配設された接地用パターンと、少なくとも一端側に開放部が設けられ、前記接地用パターンが露出した状態で、前記開放部側に前記回路基板を取り付けた枠体と、直線状の導波管部が前記回路基板と平行に配置され、前記導波管部の外周が前記接地用パターンに接触した状態で取り付けられたフィードホーンとからなる２個の第１，第２のコンバータとを備え、前記第１，第２のコンバータは、それぞれの前記導波管部をパラボラアンテナに向けて並設した状態で、取付部材によって取り付けられたことを特徴とする衛星放送受信用コンバータの取付構造。
【請求項２】
前記第１，第２のコンバータは、同じ構成を有し、前記第１，第２のコンバータは、それぞれの前記導波管部をパラボラアンテナに向けて取り付けられたことを特徴とする請求項１記載の衛星放送受信用コンバータの取付構造。
【請求項３】
前記第１，第２のコンバータは、前記枠体からの前記フィードホーンの突出位置を異にし、前記第１，第２のコンバータは、２つの前記フィードホーン間に２つの前記枠体が位置した状態で取り付けられ、前記第１，第２のコンバータは、それぞれの前記導波管部をパラボラアンテナに向けて配置したことを特徴とする請求項１記載の衛星放送受信用コンバータの取付構造。
【発明の詳細な説明】
【０００１】
【発明の属する技術分野】
本発明は衛星放送を受信するための衛星放送受信用コンバータの取付構造に関する。
【０００２】
【従来の技術】
従来の衛星放送受信用コンバータの取付構造の図面を説明すると、図１０は従来の衛星放送受信用コンバータの構成を示す要部断面図、図１１は従来の衛星放送受信用コンバータの取付構造を示す側面図、図１２は従来の衛星放送受信用コンバータの取付構造を示す上面図である。
【０００３】
従来の衛星放送受信用コンバータの構成を図１０に基づいて説明すると、金属ダイキャストからなる箱形の枠体５１は、上板５１ａと、この上板５１ａの四方から下方に延びる側板５１ｂと、上板５１ａと側板５１ｂとで囲まれて形成された収納部５１ｃと、上板５１ａに設けられた円形の孔５１ｄとを有する。
【０００４】
フィードホーン５２は、枠体５１と一体に金属ダイキャストによって形成され、円筒状で直線状に延びる導波管部５２ａと、導波管部５２ａの先端部に設けられたラッパ状部５２ｂとを有し、このフィードホーン５２は、中心部の中空部５２ｃが枠体５１の孔５１ｄと一致した状態で、導波管部５２ａが上板５１から垂直方向に延びて形成されている。
【０００５】
プリント基板からなる回路基板５３は、一面側に配線パターン５４が形成され、この配線パターン５４に種々の電気部品５５が搭載されて、所望の受信回路が形成されている。
そして、この回路基板５３は、配線パターン５４が形成されていない他面側から枠体５１内に挿入されて、枠体５１に適宜手段により取り付けられている。
【０００６】
金属板からなる蓋部５６は、枠体５１の開放部を塞ぐように取り付けられて、この蓋体５６と枠体５１とによって、回路基板５３に形成された受信回路が電気的にシールドされた構成となっている。
【０００７】
Ｌ字状をなした金属線からなる第１のプローブ５７は、絶縁体５８で支持されて、この第１のプローブ５７は、一端が導波管部５２ａ内に位置すると共に、他端が上板５１ａと回路基板５３を貫通して配線パターン５４に半田付けされている。
そして、この第１のプローブ５７は、垂直偏波、或いは水平偏波の何れか一方を受けるようになっている。
【０００８】
棒状の金属線からなら第１の反射部５９は、第１のプローブ５７と対向した状態で、導波管部５２ａ内の後方に位置し、導波管部５２ａに適宜手段により取り付けられている。
【０００９】
第２のプローブ６０は、配線パターン５４の一部で形成され、導波管部５２ａの中空部５２ｃと対向すると共に、第１のプローブ５７と９０度ずれた状態で延びている。
そして、この第２のプローブ６０は、垂直偏波、或いは水平偏波の何れか他方を受けるようになっている。
【００１０】
第２の反射部６１は、金属ダイキャストによりキャップ状に形成され、反射部となる底壁６１ａと、この底壁６１ａの周囲から直角状態で延びる側壁６１ｂとで構成されている。
そして、この第２の反射部６１は、第２のプローブ６０の後方位置で第２のプローブ６０を囲むように配置されて、側壁６１ｂが配線パターン５４のアースパターンに半田付けされて取り付けられている。
【００１１】
その結果、フィードホーン５２は、回路基板５３の一面から垂直状態で突出すると共に、枠体５１の側板５１ｂから外方に突出するコネクタ６２が設けられて、従来のコンバータＣ２が構成されている。
【００１２】
次に、従来の衛星放送受信用コンバータの取付構造を図１１，図１２に基づいて説明すると、衛星放送を受信するためのパラボラアンテナ６３は、屋外に設置されると共に、このパラボラアンテナ６３には、２個のコンバータＣ２を並設して取り付けるための取付部材６４が設けられている。
【００１３】
また、複数の衛星放送を受信するために、同じ構成を有する２個のコンバータＣ２がフィードホーン５２の箇所で、取付部材６４に取り付けられた構成となっている。
【００１４】
そして、一方のコンバータＣ２は、取付部材６４に対して調整可能となっていて、フィードホーン５２がパラボラアンテナ６３の受信電波の第１反射部６３ａに対して調整でき、また、他方のコンバータＣ２は、取付部材６４に対して調整可能となっていて、フィードホーン５２がパラボラアンテナ６３の受信電波の第２反射部６３ｂに対して調整できるようになっている。
【００１５】
その結果、特に図１２に示すように、２個のコンバータＣ２は、フィードホーン５２が回路基板５３の面から垂直に延びるため、２個のコンバータＣ２の横方向の寸法Ｗ３が大きくなる。
【００１６】
【発明が解決しようとする課題】
従来の衛星放送受信用コンバータの取付構造は、２個のコンバータＣ２のフィードホーン５２が回路基板５３の面から垂直に延びるため、２個のコンバータＣ２の横方向の寸法Ｗ３が大きくなると共に、大きくなると外観的に見難くなるという問題がある。
【００１７】
そこで、本発明は小型で、外観的に見栄えの良い衛星放送受信用コンバータの取付構造を提供することを目的とする。
【００１８】
【課題を解決するための手段】
上記課題を解決するための第１の解決手段として、一面側に設けられた配線パターンに電気部品を搭載して、所望の回路が形成された回路基板と、この回路基板の他面側に配設された接地用パターンと、少なくとも一端側に開放部が設けられ、前記接地用パターンが露出した状態で、前記開放部側に前記回路基板を取り付けた枠体と、直線状の導波管部が前記回路基板と平行に配置され、前記導波管部の外周が前記接地用パターンに接触した状態で取り付けられたフィードホーンとからなる２個の第１，第２のコンバータをを備え、前記第１，第２のコンバータは、それぞれの前記導波管部をパラボラアンテナに向けて並設した状態で、取付部材によって取り付けられた構成とした。
【００１９】
また、第２の解決手段として、前記第１，第２のコンバータは、同じ構成を有し、前記第１，第２のコンバータは、それぞれの前記導波管部をパラボラアンテナに向けて取り付けられた構成とした。
【００２０】
また、第３の解決手段として、前記第１，第２のコンバータは、前記枠体からの前記フィードホーンの突出位置を異にし、前記第１，第２のコンバータは、２つの前記フィードホーン間に２つの前記枠体が位置した状態で取り付けられ、前記第１，第２のコンバータは、それぞれの前記導波管部をパラボラアンテナに向けて配置した構成とした。
【００２１】
【発明の実施の形態】
本発明の衛星放送受信用コンバータの取付構造の図面を説明すると、図１は本発明の衛星放送受信用コンバータの構成を示す平面図、図２は図１の２−２線における断面図、図３は本発明の衛星放送受信用コンバータの構成を示す回路基板の平面図、図４は本発明の衛星放送受信用コンバータの構成を示すフィードホーンの斜視図、図５は本発明の衛星放送受信用コンバータの構成を示すフィードホーンを裏返した状態の斜視図、図６は本発明の衛星放送受信用コンバータの構成を示す第２の反射部の斜視図である。
【００２２】
また、図７は本発明の衛星放送受信用コンバータの取付構造の第１実施例を示す側面図、図８は本発明の衛星放送受信用コンバータの取付構造の第１実施例を示す上面図、図９は本発明の衛星放送受信用コンバータの取付構造の第２実施例を示す上面図である。
【００２３】
次に、本発明の衛星放送受信用コンバータの構成を図１〜図６に基づいて説明すると、金属板からなる枠体１は、上下に開放部を有するロ字状で構成されている。
【００２４】
プリント基板からなる回路基板２は、一面側に配線パターン３が形成され、この配線パターン３に種々の電気部品４が搭載されて、所望の受信回路が形成されている。
また、回路基板２の他面側のほぼ全面には、シールド用の接地用パターン５が設けられている。
【００２５】
回路基板２は、特に図３に示すように、略四角形状の大きな孔２ａと、この孔２ａ内に突出する突片２ｂと、孔２の対向する２辺に沿って設けられた複数の孔２ｃと、この孔２ｃの間に設けられた一つの孔２ｄと、この孔２ｄに対向して形成された円形の孔２ｅとを有する。
【００２６】
そして、突片２ｂ上と、孔２ｅの周辺には、接地用パターン５が形成されていない状態にあると共に、突片２ｂの反対面には、配線パターン３の一部で構成される導電パターン（後述する第２のプローブ１２）が設けられている。
【００２７】
そして、このような構成を有する回路基板２は、ロ字状の枠体１の一方の開放部を塞ぐように、枠体１に半田付け等によって取り付けられる。
即ち、回路基板２は、電気部品４を枠体１の内部に位置した状態で、接地用パターン５が枠体１から露出して外側に位置し、接地用パターン５が枠体１に半田付けされて取り付けられる。
【００２８】
金属板からなる蓋部６は、枠体１の他方の開放部を塞ぐように取り付けられて、この蓋体５と枠体１、及び接地用パターン５とによって、回路基板２に形成された受信回路が電気的にシールドされた構成となっている。
【００２９】
ブリキ等の金属板が折り曲げされて形成されたフィードホーン７は、中心部に中空部８ａを有する四角型の筒状で形成された導波管部８と、この導波管部８の一端に設けられ、導波管部８の入り口部８ｂに対して傾斜した反射面９とで構成されている。
【００３０】
そして、導波管部８は、特に図４，図５に示すように、上板１０ａと、この上板１０ａから下方に折り曲げされた一対の側板１０ｂと、この側板１０ｂの下部の一部（前方部）を塞ぐ底板１０ｃと、上板１０ａの一端である後端から入り口部８ｂに対して傾斜した状態で設けられ、反射面９を形成する板部１０ｄと、導波管部８の後端部を塞ぐ後板１０ｅを有する。
【００３１】
また、導波管部８は、板部１０ｄの近傍に上板１０ａに設けられた孔１０ｆと、側板１０ｂから下方に延びる複数の突片１０ｇと、側板１０と後板１０ｅから直角に折り曲げられ、回路基板２と平行な複数の舌片１０ｈと、後方側の底板１０ｃに設けられた切り欠き部１０ｊと、底板１０ｃの後方端部に設けられたＬ字状の折り曲げ片１０ｋを有する。
また、底板１０ｃに設けられた切り欠き部１０ｊは、板部１０ｄとこの板部１０ｄの近傍に位置する上板１０ａとに対向している。
【００３２】
そして、このように構成された導波管部８は、底板１０ｃを接地用パターン５側にして、折り曲げ片１０ｋが回路基板２の一端側に当接、抱持した状態で、突片１０ｇを孔２ｃ挿入して位置決めした状態で、導波管部８の外周部の全周が接地用パターン５に半田付けされる。
この半田付けは、側板１０ｂと後板１０ｅの下方部が接地用パターン５に半田付けされると共に、舌片１０ｈも接地用パターン５に半田付けされて、フィードホーン７の取付強度を大きくしている。
【００３３】
フィードホーン７が取り付けられた際、導波管部８は、回路基板２に密着した状態で、回路基板２と平行の延び、底板１０ｃを有する部分が回路基板２から外方に突出すると共に、切り欠き部１０ｊが回路基板２上に位置して、接地用パターン５によって塞がれた状態となっている。
【００３４】
フィードホーン７が取り付けられた際、孔２ａは導波管部８内に位置して、回路基板２の突片２ｂが反射面９と対向した状態となっている。
なお、切り欠き部１０ｊは、反射面９と対向する箇所に設けて、この箇所まで底板１０ｃを延ばしても良い。
【００３５】
棒状の金属線からなる第１のプローブ１１は、一端が導波管部８内に位置すると共に、他端が回路基板２の孔２ｅを貫通して配線パターン３に半田付けされている。
そして、この第１のプローブ１１は、垂直偏波、或いは水平偏波の何れか一方を受けるようになっている。
【００３６】
第２のプローブ１２は、回路基板２の突片２ｂの位置で、配線パターン３の一部で形成され、反射面９と対向すると共に、第１のプローブ１１と９０度ずれた状態で延びている。
そして、この第２のプローブ１２は、垂直偏波、或いは水平偏波の何れか他方を受けるようになっている。
【００３７】
第２の反射部１３は、特に図６に示すように、ブリキ等の金属板を折り曲げて形成され、四角状のキャップ状部１４と、このキャップ状部１４の一端から延びる帯状部１５とで構成されている。
そして、キャップ状部１４は、第２の反射部１３となる矩形状の底壁１４ａと、この底壁１４ａの四方から上方に折り曲げられた側壁１４ｂとを有し、この側壁１４ｂから帯状部１５が上方に延びている。
【００３８】
そして、この第２の反射部１３を形成するキャップ状部１４は、第２のプローブ１２の後方位置で第２のプローブ１２を囲むように配置されて、側壁１４ｂが配線パターン３のアースパターンに半田付けされて取り付けられている。
【００３９】
また、キャップ状部１４が取り付けられた際、帯状部１５は、回路基板２の孔２ｄを貫通し、第１のプローブ１１の後方位置で第１プローブ１１と対向した状態で、導波管部８内に位置して、第１の反射部１６を形成している。
更に、帯状部１５の先端部は、導波管部８の上板１０ａに設けられた孔１０ｆに嵌入して、帯状部１５の取付を強固にしている。
【００４０】
なお、上記実施例では、第１，第２のプローブを使用したもので説明したが、第１，第２のプローブの内の何れか一方のみを使用したものでも良い。
また、上記実施例では、フィードホーンが接地用パターンに半田付けされたもので説明したが、フィードホーンがカシメやネジ等の手段によって回路基板に取り付けられても良い。
【００４１】
その結果、フィードホーン７は、回路基板２の一面と平行状態で突出すると共に、枠体１の側板から外方に突出するコネクタ１７が設けられて、本発明のコンバータＣ１が構成されている。
【００４２】
次に、本発明の衛星放送受信用コンバータの取付構造の第１実施例を図７，図８に基づいて説明すると、衛星放送を受信するためのパラボラアンテナ１８は、屋外に設置されると共に、このパラボラアンテナ１８には、２個のコンバータＣ１を並設して取り付けるための取付部材１９が設けられている。
【００４３】
また、複数の衛星放送を受信するために、同じ構成を有する２個のコンバータＣ１がフィードホーン７の箇所で、取付部材１９に取り付けられた構成となっている。
【００４４】
そして、一方のコンバータＣ１は、取付部材１９に対して調整可能となっていて、フィードホーン７がパラボラアンテナ１８の受信電波の第１反射部１８ａに対して調整でき、また、他方のコンバータＣ１は、取付部材１９に対して調整可能となっていて、フィードホーン７がパラボラアンテナ１８の受信電波の第２反射部１８ｂに対して調整できるようになっている。
【００４５】
その結果、特に図８に示すように、２個のコンバータＣ１は、フィードホーン７が回路基板２の面から平行状態で延びるため、２個のコンバータＣ１の横方向の寸法Ｗ１が従来に比して小さくなる。
【００４６】
また、図９は本発明の衛星放送受信用コンバータの取付構造の第２実施例を示し、この第２実施例において、２個のコンバータＣ１は、枠体１からのフィードホーン７の突出状態を異にし、２個のコンバータＣ１は、２つのフィードホーン７間に２つの枠体１が位置するようにしたものである。
【００４７】
その他の構成は、前記第１実施例と同様であるので、同一部品に同一番号を付し、ここではその説明を省略する。
そして、このような構成にすると、特に図９に示すように、２個のコンバータＣ１は、２個のコンバータＣ１の横方向が寸法Ｗ２となって、第１実施例よりも更に小さくなる。
【００４８】
【発明の効果】
本発明の衛星放送受信用コンバータの取付構造は、一面側に設けられた配線パターンに電気部品を搭載して、所望の回路が形成された回路基板と、この回路基板の他面側に配設された接地用パターンと、少なくとも一端側に開放部が設けられ、接地用パターンが露出した状態で、開放部側に回路基板を取り付けた枠体と、直線状の導波管部が回路基板と平行に配置され、導波管部の外周が接地用パターンに接触した状態で取り付けられたフィードホーンとからなる２個の第１，第２のコンバータとを備え、第１，第２のコンバータは、それぞれの導波管部をパラボラアンテナに向けて並設した状態で、取付部材によって取り付けられたため、２個のコンバータの横方向の寸法が従来に比して小さく、小型となり、外観的に見栄えの良いものが得られる。
【００４９】
また、第１，第２のコンバータは、同じ構成を有し、第１，第２のコンバータは、それぞれの導波管部をパラボラアンテナに向けて取り付けられたため、コンバータの製造が共通化できると共に、その取付がコンパクトとなり、外観的に見栄えの良いものが得られる。
【００５０】
また、第１，第２のコンバータは、枠体からの前記フィードホーンの突出位置を異にし、第１，第２のコンバータは、２つのフィードホーン間に２つの枠体が位置した状態で取り付けられ、第１，第２のコンバータは、それぞれの導波管部をパラボラアンテナに向けて配置したため、２個のコンバータの横方向の寸法を一層、小さくできて、外観的に見栄えの良いものが得られる。
【図面の簡単な説明】
【図１】本発明の衛星放送受信用コンバータの構成を示す平面図。
【図２】図１の２−２線における断面図。
【図３】本発明の衛星放送受信用コンバータの構成を示す回路基板の平面図。
【図４】本発明の衛星放送受信用コンバータの構成を示すフィードホーンの斜視図。
【図５】本発明の衛星放送受信用コンバータの構成を示すフィードホーンを裏返した状態の斜視図。
【図６】本発明の衛星放送受信用コンバータの構成を示す第２の反射部の斜視図。
【図７】本発明の衛星放送受信用コンバータの取付構造の第１実施例を示す側面図。
【図８】本発明の衛星放送受信用コンバータの取付構造の第１実施例を示す上面図。
【図９】本発明の衛星放送受信用コンバータの取付構造の第２実施例を示す上面図。
【図１０】従来の衛星放送受信用コンバータの構成を示す要部断面図。
【図１１】従来の衛星放送受信用コンバータの取付構造を示す側面図。
【図１２】従来の衛星放送受信用コンバータの取付構造を示す上面図。
【符号の説明】
１　枠体
２　回路基板
２ａ　孔
２ｂ　突片
２ｃ　孔
２ｄ　孔
２ｅ　孔
３　配線パターン
４　電気部品
５　接地用パターン
６　蓋部
７　フィードホーン
８　導波管部
９　反射面
１０ａ　上板
１０ｂ　側板
１０ｃ　底板
１０ｄ　板部
１０ｅ　後板
１０ｆ　孔
１０ｇ　突片
１０ｈ　舌片
１０ｊ　切り欠き部
１０ｋ　折り曲げ片
１１　第１のプローブ
１２　第２のプローブ
１３　第２の反射部
１４　キャップ状部
１４ａ　底壁
１４ｂ　側壁
１５　帯状部
１６　第１の反射部
１７　コネクタ
１８　パラボラアンテナ
１８ａ　第１反射部
１８ｂ　第２反射部
１９　取付部材
【図１】
2004040404.tif 000003
【図２】
2004040404.tif 000004
【図３】
2004040404.tif 000005
【図４】
2004040404.tif 000006
【図５】
2004040404.tif 000007
【図６】
2004040404.tif 000008
【図７】
2004040404.tif 000009
【図８】
2004040404.tif 000010
【図９】
2004040404.tif 000011
【図１０】
2004040404.tif 000012
【図１１】
2004040404.tif 000013
【図１２】
2004040404.tif 000014